(57)【要約】      （修正有）【課題】製造、運搬、保管そして組み立てが簡単に行え、着せた衣服の見栄えを良くすることができて、その衣服のデザインの良さを十分発現させることのできるボードマネキンを提供する。【解決手段】板状部材の一つを、肩部１１ａ、胴部１１ｂ及び上肢部１１ｃを有した本体部材１１とするとともに、この本体部材１１の肩部１１ａ上に、この肩部１１ａから前後に突出する肩パット部１２ａと、下面に肩部１１ａ上に嵌合される嵌合溝とを有した肩部材１２を着脱自在に取り付けて、この肩部材１２によって衣服の肩周りの見栄えが良好になるようにした。【選択図】図３
0003164746.tif 000002
【実用新案登録請求の範囲】
【請求項１】
人体を複数の板状部材によって構成し、これらの板状部材を人体に纏めて支柱に支持するようにしたボードマネキンであって、
前記板状部材の一つを、肩部、胴部及び上肢部を有した本体部材とするとともに、この本体部材の前記肩部上に、この肩部から前後に突出する肩パット部と、下面に前記肩部上に嵌合される嵌合溝とを有した肩部材を着脱自在に取り付けて、この肩部材によって衣服の肩周りの見栄えが良好になるようにしたことを特徴とするボードマネキン。
【請求項２】
人体を複数の板状部材によって構成し、これらの板状部材を人体に纏めて支柱に支持するようにしたボードマネキンであって、
前記板状部材の一つを、肩部、胴部及び上肢部を有した本体部材とするとともに、この本体部材の前記胴部の背面に、前記支柱に対する取付部を設けたカゴ部材を連結して、このカゴ部材によって衣服の腰周りの見栄えが良好になるようにしたことを特徴とするボードマネキン。
【請求項３】
前記本体部材の上肢部に嵌合穴を形成して、この嵌合穴内に下肢部材に形成した嵌合部を着脱自在に取り付けたことを特徴とする請求項１または２に記載のボードマネキン。
【請求項４】
前記本体部材の首部に対して、前記板状部材の一つとして構成した頭部材を嵌合自在としたことを特徴とする請求項１から請求項３のいずれかに記載のボードマネキン。
【考案の詳細な説明】
【技術分野】
【０００１】
本考案は、衣服等を見栄え良く展示するためのマネキンに関し、特に、全体を板状にして、製造も運搬も、さらには組み立ても容易にしたボードマネキンに関するものである。
【背景技術】
【０００２】
マネキンは、衣服等を見栄え良く展示するためのものであるが、一般的には、人を象った形状のものが多い。このため、従来のマネキンは、部分的なものであれ人の全身を象ったものであれ、人の部分または前身と同じ大きさのものである。
【０００３】
このような人と同じ大きさのマネキンは、運搬や保管上は勿論、製造上でも大きなスペースを要することから、例えば、特許文献１に見られるような工夫がなされてきている。
【先行技術文献】
【特許文献】
【０００４】
【特許文献１】特開平８−１０１１５号公報、要約
【考案の概要】
【考案が解決しようとする課題】
【０００５】
この特許文献１にて提案されている「商品展示用ハンガー」は、「下着や水着等を含む衣類などの商品を展示するのに適し、狭い店舗でも多数の商品を立体的に表現し展示でき、保管の際のスペースが小さく、運搬の際の利便性が向上する、従来のマネキン人形に代るものを提供する」ことをなされたものであり、図１２に示すように、「人体の頸部と胸部、腹部、股部の僅か下部までの部分を含む前半部の外側面に沿った形状に、合成樹脂などの薄板材によって形成した主体部１の上端縁部に上壁部３を形成し、上壁部３に鉤部２を取り付ける。下端部には腹部から各別にそれぞれの大腿上部1d、1eを伸長させ股間部６を形成し、大腿上部1d、1eの端縁部に下壁部4a、4bを形成する。主体部１は前面を人体を模倣した形状に形成し、背面を開口５して容器状にするとともに、該開口５の周縁部を僅かに拡開して一の主体部１の背面から該一の主体部１の内部に他の主体部１を収容できる」ようにしたものである。
【０００６】
この特許文献１の「商品展示用ハンガー」は、「人体の前半部の外側面に沿った形状」にしたものであるから、「保管の際のスペースが小さく、運搬の際の利便性が向上する」ものではあるものの、主として店内の壁に掛けるか沿わせて衣服の展示を行うものであることから、衣服を着た後ろ姿を見せることはできない。
【０００７】
そこで、図１１に示すように、人体の各部を完全な「板状物」として、これに衣服を着せて支柱に支持させる「ボードマネキン」が提案された。このボードマネキンは、全ての部材が「板状」になっていることから、製造、運搬、保管、組み立ての全てに亘って容易になっているだけでなく、衣服を着用した後ろ姿も十分見せることができるものとなっている。
【０００８】
しかしながら、この図１１に示したボードマネキンは、全ての部材が「板状」になっていることから、着せた衣服が薄っぺら状態になって、実際に人が着用したときのボリューム感を出すことができず、その衣服のデザインの良さを十分発現させることができないものとなっている。それだけでなく、図１１に示したようなボードマネキンは、全てが板状になっていて、これらが繋がっているため、これに衣服を着せる際に衣服が引っ掛かることが多く、着せ替え作業が非常に困難になっている。
【０００９】
このため、本考案者等は、この種のボードマネキンについて、その本来の長所を十分に生かしながら、ボリューム感を持たせることによって衣服の見栄えやデザインの良さを十分発現させることができるようにするにはどうしたらよいか、について種々検討を重ねてきた結果、本考案を完成したのである。
【００１０】
すなわち、本考案の目的とするところは、製造、運搬、保管そして組み立てが簡単に行え、着せた衣服の見栄えを良くすることができて、その衣服のデザインの良さを十分発現させることのできるボードマネキンを提供することにある。
【課題を解決するための手段】
【００１１】
以上の課題を解決するために、まず、請求項１に係る考案の採った手段は、後述する最良形態の説明中で使用する符号を付して説明すると、
「人体を複数の板状部材によって構成し、これらの板状部材を人体に纏めて支柱１４に支持するようにしたボードマネキン１０であって、
前記板状部材の一つを、肩部１１ａ、胴部１１ｂ及び上肢部１１ｃを有した本体部材１１とするとともに、この本体部材１１の肩部１１ａ上に、この肩部１１ａから前後に突出する肩パット部１２ａと、下面に肩部１１ａ上に嵌合される嵌合溝１２ｂとを有した肩部材１２を着脱自在に取り付けて、この肩部材１２によって衣服の肩周りの見栄えが良好になるようにしたことを特徴とするボードマネキン１０」
である。
【００１２】
この請求項１に係るボードマネキン１０は、人体を、後述する実施形態におけるように、例えば本体部材１１、下肢部材１５、及び頭部材１８のような複数の板状部材によって構成し、これらの板状部材を人体に纏めて支柱１４に支持するようにしたものであるから、その製造が簡単に行えるものとなっていることは言うまでもない。また、本体部材１１、下肢部材１５、及び頭部材１８のような複数の板状部材は、これらを重ねれば少ないスペースで保管あるいは梱包ができるだけでなく、運搬も効率よく行える。勿論、梱包を解いてから各板状部材を連結して、支柱１４に支持させれば当該ボードマネキン１０が完成するのであるから、衣服を展示する店舗の職員でも簡単に組み立て作業が行えるものとなっている。
【００１３】
特に、この請求項１に係るボードマネキン１０は、前記板状部材の一つを、肩部１１ａ、胴部１１ｂ及び上肢部１１ｃを有した本体部材１１とし、図３〜図５に示すように、この本体部材１１の肩部１１ａから前後に突出する肩パット部１２ａと、下面に肩部１１ａ上に嵌合される嵌合溝１２ｂとを有した肩部材１２を有しているから、この肩部材１２に衣服２０を着せたとき、図１及び図２に示すように、衣服２０にボリュームを持たせることができるものとなっているのである。換言すれば、このボードマネキン１０が、図１１に示す従来のボードマネキンのような上腕部材１６や下腕部材１７を備えていなくても、肩パット部１２ａを有する肩部材１２によって、衣服２０にボリュームを十分持たせることができる。
【００１４】
すなわち、この肩部材１２は、図６及び図９に示すように、板状の本体部材１１の肩部１１ａから前後に突出して人の肩の上面と同じようなボリューム感を出す肩パット部１２ａを有しているから、この肩部材１２上に衣服２０を裁置すれば、その肩部は当該ボードマネキン１０の前後に膨らんだ状態となる。勿論、当該衣服２０の肩部にはその袖や胴部分が下側に連続して自然に垂れ下がるし、これらの部分を本体部材１１側に押しつけるものも何もないから、当該ボードマネキン１０に着せられた衣服２０は、図１及び図２に示すように、全体として見てもボリューム感があるものとなり、当該衣服２０のデザインの良さを十分発現させることができるのである。
【００１５】
また、この肩部材１２は、図６に示すように、当該ボードマネキン１０を構成している本体部材１１の肩部１１ａ上に、その嵌合溝１２ｂを利用して単に嵌合すればよいから、例えば図９に示すように、店舗の店員であってもその組み付けが簡単に行え、勿論本体部材１１からの取り外しも簡単に行えるのである。
【００１６】
この肩部材１２の本体部材１１に対する着脱が簡単であることは、当該ボードマネキン１０の本来の、製造、運搬、保管及び組み立てが容易である長所をより一層引き立てることになる。何故なら、この種のボードタイプを含めたマネキンは、これに着せる衣服２０の内容を季節に応じて変えなければならないし、店舗の展示方法の変更によっても使用数の増減も図らなければならないものであって、頻繁に組み立て、分解、そして保管や運搬を行わなければならないからである。
【００１７】
そして、この肩部材１２は、例えば合成樹脂を材料として一体成形することができるのであるから、本体部材１１等の板状部材と同様に、その製造を簡単に行うことができることは言うまでもない。勿論、この肩部材１２の肩パット部１２ａについて「怒り肩状」にすれば男性用として、また「撫で肩状」とすれば女性用のものにできるから、本体部材１１等を共通にしながら当該ボードマネキン１０を男女両用にすることができるものである。
【００１８】
なお、このボードマネキン１０を支柱１４によって立設するには、この支柱１４の先端を、例えば本体部材１１の背面側等の適宜箇所に取り付けたパイプ内に差し込むようにすればよい。
【００１９】
従って、この請求項１に係るボードマネキン１０は、製造、運搬、保管そして組み立てが簡単に行え、着せた衣服２０に十分なボリューム感を出して見栄えを良好にすることができて、その衣服２０のデザインの良さを十分発現させることのできるものとなっているのである。
【００２０】
また、上記課題を解決するために、請求項２に係る考案の採った手段は、同様に、
「人体を複数の板状部材によって構成し、これらの板状部材を人体に纏めて支柱１４に支持するようにしたボードマネキン１０であって、
前記板状部材の一つを、肩部１１ａ、胴部１１ｂ及び上肢部１１ｃを有した本体部材１１とするとともに、この本体部材１１の胴部１１ｂの背面に、支柱１４に対する取付部１３ｂを設けたカゴ部材１３を連結して、このカゴ部材１３によって衣服の腰周りの見栄えが良好になるようにしたことを特徴とするボードマネキン１０」
である。
【００２１】
この請求項２に係るボードマネキン１０は、上記請求項１に係るそれに対して、肩部材１２を使用しないでカゴ部材１３を採用した点が異なるものであるが、その他の点は、上記の請求項１に係るボードマネキン１０と同様である。
【００２２】
この請求項２に係るボードマネキン１０で採用しているカゴ部材１３は、図４に示すように、本体部材１１の胴部１１ｂの背面側に取り付けられるものであり、図７に示すような構造ものものである。つまり、このカゴ部材１３は、図７に示すように、複数の線材１３ａを接続して文字通り「カゴ状」に形成したものであり、胴部１１ｂの背面側にてボリューム感を付与することになるものである。特に、このカゴ部材１３の上縁と下縁を構成する線材１３ａについては、図７の（ａ）に示すように、本体部材１１の胴部１１ｂ下部背面側に膨出する形状に曲げてあるから、当該カゴ部材１３上に着せた衣服２０に十分なボリューム感を与えることになる。
【００２３】
また、このカゴ部材１３は、図７に示すように、取付部１３ｂを有しており、この取付部１３ｂは、下端が開口した単なるパイプであって、当該カゴ部材１３の後部中央に配置してある。このため、このカゴ部材１３を本体部材１１の背面側に取り付けたときには、この取付部１３ｂは、本体部材１１の背面から少し離れた後方に位置することになるから、この取付部１３ｂの下端開口に支柱１４の上端を差し込むことにより、当該ボードマネキン１０は立設されることになるのである。
【００２４】
このカゴ部材１３は、図８に示すように、その前方部分に位置する例えば取付板１３ｄを有するものであり、この取付板１３ｄを本体部材１１の裏面にネジ等によって取り付けることにより、簡単に一体化される。そして、図９及び図１０に示すように、このカゴ部材１３の取付部１３ｂに支柱１４の上端を挿入することにより、ボードマネキン１０全体の立設を可能にするものであり、かつ、このカゴ部材１３の周囲に穿かせたスボンやスカート等の衣服２０の上部に、図１及び図２に示すようなボリューム感を与えるのである。
【００２５】
このカゴ部材１３の本体部材１１に対する着脱が簡単であることは、当該ボードマネキン１０の本来の、製造、運搬、保管及び組み立てが容易である長所をより一層引き立てることになる。何故なら、この種のボードタイプを含めたマネキンは、これに着せる衣服２０の内容を季節に応じて変えなければならないし、店舗の展示方法の変更によっても使用数の増減も図らなければならないものであって、頻繁に組み立て、分解、そして保管や運搬を行わなければならないからである。
【００２６】
従って、この請求項２に係るボードマネキン１０も、製造、運搬、保管そして組み立てが簡単に行え、着せた衣服２０に十分なボリューム感を出して見栄えを良好にすることができて、その衣服２０のデザインの良さを十分発現させることのできるものとなっているのである。
【００２７】
そして、上記課題を解決するために、請求項３に係る考案の採った手段は、上記請求項１または２に記載のボードマネキン１０について、
「本体部材１１の上肢部１１ｃに嵌合穴１１ｄを形成して、この嵌合穴１１ｄ内に下肢部材１５に形成した嵌合部１５ａを着脱自在に取り付けたこと」
である。
【００２８】
すなわち、この請求項３のボードマネキン１０は、上述した本体部材１１の上肢部１１ｃに、図３、及び図８〜図１０に示すように、嵌合穴１１ｄを形成して、図１０に示すように、この嵌合穴１１ｄ内に下肢部材１５に形成した嵌合部１５ａを着脱自在に取り付け得るようにしたものである。
【００２９】
この下肢部材１５の本体部材１１に対する着脱が自在で、かつその着脱作業が簡単に行えると言うことは、当該ボードマネキン１０を使用した衣服２０の展示作業や展示効果を格段に改善するものである。まず、第一に、この下肢部材１５にズボンを穿かせることが簡単に行えることを意味する。各下肢部材１５を片ズボンの下側から差し込んで、嵌合部１５ａを本体部材１１側の嵌合穴１１ｄに係合させればよいからである。第二に、図１及び図２に示したように、ズボンの裾を折り曲げたときのイメージを明確にしたり、この下肢部材１５を使用しないことによって、スカートのシルエットだけを明確にしたりする、といった展示効果の選択が自在に行えるからである。
【００３０】
従って、この請求項３に係るボードマネキン１０は、上記請求項１または２のそれと同様な機能を発揮する他、下肢部材１５が脱着自在であることから衣服２０の着せ替え作業がより簡単になっており、衣服２０の展示作業や展示効果を格段に改善するものとなっているのである。
【００３１】
さらに、上記課題を解決するために、請求項４に係る発明の採った手段は、上記請求項１から請求項３のいずれかに記載のボードマネキン１０について、
「本体部材１１の首部１１ｅに対して、前記板状部材の一つとして構成した頭部材１８を嵌合自在としたこと」
である。
【００３２】
すなわち、この請求項４のボードマネキン１０では、板状部材である頭部材１８を、図６にも示したように、本体部材１１の首部１１ｅに上方から差し込めるように形成しておき、図１０に示したように、この頭部材１８を首部１１ｅに差し込んで構成できるようにしたものである。
【００３３】
これにより、このボードマネキン１０では、例えば、頭部材１８を外した状態で衣服２０を本体部材１１に着せ、その後に頭部材１８を首部１１ｅに差し込めば、図１及び図２に示すような状態に、衣服２０を簡単に着せることができるのである。
【００３４】
従って、この請求項４に係るボードマネキン１０は、上記請求項１〜３のいずれかのそれと同様な機能を発揮する他、頭部材１８が脱着自在であることから衣服２０の着せ替え作業がより簡単になっており、衣服２０の展示作業や展示効果を格段に改善するものとなっているのである。
【考案の効果】
【００３５】
以上、説明した通り、本考案においては、
「人体を複数の板状部材によって構成し、これらの板状部材を人体に纏めて支柱１４に支持するようにしたボードマネキン１０
について、
「前記板状部材の一つを、肩部１１ａ、胴部１１ｂ及び上肢部１１ｃを有した本体部材１１とするとともに、この本体部材１１の肩部１１ａ上に、この肩部１１ａから前後に突出する肩パット部１２ａと、下面に肩部１１ａ上に嵌合される嵌合溝１２ｂとを有した肩部材１２を着脱自在に取り付けて、この肩部材１２によって衣服の肩周りの見栄えが良好になるようにしたこと」
あるいは、
「前記板状部材の一つを、肩部１１ａ、胴部１１ｂ及び上肢部１１ｃを有した本体部材１１とするとともに、この本体部材１１の胴部１１ｂの背面に、支柱１４に対する取付部１３ｂを設けたカゴ部材１３を連結して、このカゴ部材１３によって衣服の腰周りの見栄えが良好になるようにしたこと」
にその構成上の特徴があり、これにより、製造、運搬、保管そして組み立てが簡単に行え、着せた衣服２０に十分なボリューム感を出して見栄えを良好にすることができて、その衣服２０のデザインの良さを十分発現させることのできるボードマネキン１０を提供することができるのである。
【図面の簡単な説明】
【００３６】
【図１】本考案に係るボードマネキン１０によって衣服２０を展示している様子を示す正面図である。
【図２】同背面図である。
【図３】同ボードマネキン１０の、各下肢部材１５を外した状態の正面図である。
【図４】同ボードマネキン１０を後方側から見た斜視図である。
【図５】同ボードマネキン１０を構成する肩部材１２を示すもので、（ａ）は正面図、（ｂ）は底面図である。
【図６】同肩部材１２を本体部材１１の肩部１１ａに取り付けようとしている状態の部分斜視図である。
【図７】同肩部材１２を拡大して示すもので、（ａ）は平面図、（ｂ）は背面図、（ｃ）は側面図である。
【図８】同ボードマネキン１０を構成している本体部材１１にカゴ部材１３を取り付ける様子を示す斜視図である。
【図９】同ボードマネキン１０を構成する肩部材１２を本体部材１１に取り付けてこれを支柱１４に支持使用とする様子を示す斜視図である。
【図１０】支柱１４に支持した本体部材１１の上肢部１１ｃに各下肢部材１５を取り付ける様子を示す斜視図である。
【図１１】従来のボードマネキン１０を示す正面図である。
【図１２】特許文献１の技術を示す側面図である。
【考案を実施するための形態】
【００３７】
次に、以上のように構成した各請求項に係る考案を、図面に示した実施の形態であるボードマネキン１０について説明するが、この実施形態のボードマネキン１０は、上記各請求項に係る考案の全てを含むものである。
【００３８】
図１及び図２には、本考案に係るボードマネキン１０を使用して衣服２０の展示を行っている様子が示してある。このボードマネキン１０は、図３及び図４に示したように、肩部１１ａ、胴部１１ｂ、上肢部１１ｃ、嵌合穴１１ｄ、及び首部１１ｅを形成した本体部材１１と、この本体部材１１の肩部１１ａに係合した肩部材１２と、本体部材１１の胴部１１ｂ背面に取り付けたカゴ部材１３と、本体部材１１の上肢部１１ｃに形成してある２つの嵌合穴１１ｄにそれぞれ取り付けられる下腕部材１７と、カゴ部材１３の取付部１３ｂにてボードマネキン１０全体を支持する支柱１４とを備えたものである。
【００３９】
本実施形態のボードマネキン１０は、図１１に示したような上腕部材１６及び下腕部材１７は備えていないものであるが、必要に応じてこれらの上腕部材１６及び下腕部材１７を用いるようにしてもよいものである。また、本実施例における本体部材１１の首部１１ｅには、図３及び図１０に示したように、板状に形成した頭部材１８が差し込まれるものであるが、この頭部材１８としては、男性用や女性用、そして種々な表情をしたものが採用される。勿論、この頭部材１８は必ずしも必要なものではない。
【００４０】
以上の本体部材１１、下肢部材１５及び頭部材１８は、プレコンシューマ材料である再生ポリスチレン６０重量％と、ポストコンシューマ材料である回収トレー等から得られた回収ポリスチレン３重量％と、バージンポリスチレン２８重量％と、発泡剤・滑材１重量％等を含んだ、厚さ１２ｍｍの板状にした低発泡ポリスチレン樹脂材料から切り出して板状部材として形成したものである。つまり、本考案に係るボードマネキン１０は、再生樹脂を大量に使用するものであって、環境保護にも優れたものとなっているのである。
【００４１】
板状部材となっている本体部材１１は、図３に示したように、肩部１１ａ、胴部１１ｂ、上肢部１１ｃ、嵌合穴１１ｄ、及び首部１１ｅを一体的に形成したものであるが、これらの肩部１１ａ、胴部１１ｂ、上肢部１１ｃ、嵌合穴１１ｄ、及び首部１１ｅの形状は、図３に示したものに限らず、種々変更して実施することができることは言うまでもない。また、例えば、上肢部１１ｃや首部１１ｅについては、当該本体部材１１とは別体のものとするように実施しても良い。
【００４２】
上記本体部材１１の肩部１１ａ上に嵌合される肩部材１２は、図３及び図５の（ｂ）に示したように、本体部材１１の肩部１１ａから前後に突出する肩パット部１２ａと、下面に肩部１１ａ上に嵌合される嵌合溝１２ｂとを有したものであり、図５の（ａ）に示したように、嵌合溝１２ｂには板状である本体部材１１の肩部１１ａが差し込まれることになるものである。そして、この肩部材１２は、合成樹脂を材料として一体成形したものである。
【００４３】
この肩パット部１２ａの下面に開口して本体部材１１の肩部１１ａ上に嵌合される嵌合溝１２ｂ内には、複数の内突起部１２ｃがこの嵌合溝１２ｂ内にて対向状態で膨出しており、これら対向し合っている内突起部１２ｃ間の間隔は、肩部１１ａ、つまり本体部材１１の厚さ程度としてある。なお、この嵌合溝１２ｂの一部は、本体部材１１側の首部１１ｅが配置できる、つまり首部１１ｅを回避して当該肩部材１２を本体部材１１に係合できるように、切り欠いてある。
【００４４】
カゴ部材１３は、適宜形状に折り曲げた複数の線材１３ａを互いに溶接して、文字通り「カゴ形状」のものに形成したものであり、その前面側には、図７及び図８に示したように、当該カゴ部材１３を本体部材１１に取り付けるための取付板１３ｄが一体的に設けてある。なお、このカゴ部材１３は、ネジを使用して本体部材１１に取り付けられるものであり、そのために、本体部材１１の胴部１１ｂには取付穴が設けてある。
【００４５】
各線材１３ａの内、上下両面を構成する線材１３ａは、図７の（ａ）及び（ｂ）から理解できるように、人体の腰がイメージできるように湾曲させ、かつ上方の線材１３ａが下方のそれよりも少し大きく形成してある。これら上下の線材１３ａは、これに取り付けた衣服２０（通常はズボンまたはスカート等の下衣）の腰部を膨らませる役目を果たすものであり、衣服２０のボリューム感を与えるものである。なお、上側の線材１３ａには、パンチ１３ｃによって衣服２０が挟み付けられるものである。
【００４６】
このカゴ部材１３の後部には、図７のに示したように、パイプ材からなる取付部１３ｂが一体化してあり、この取付部１３ｂの下端には、支柱１４の上端が差し込めるようにしてある。支柱１４は、図３にも示したように、床上等に置かれる平板状の台板１４ａに、ネジ等によって立設されるものであり、基本的にはパイプ材によって形成したものである。
【００４７】
下肢部材１５は、上記本体部材１１と同様な板材を切り出して、板状部材として形成したものであり、図３にも示したように、その上部に嵌合部１５ａが一体的に形成してある。この嵌合部１５ａは、本体部材１１の上肢部１１ｃに形成してある上記嵌合穴１１ｄ内に嵌合されることにより、下肢部材１５を本体部材１１に連結するようにしたものである。勿論、これらの嵌合部１５ａと嵌合穴１１ｄは、それぞれ本体部材１１側及び下肢部材１５側に形成して実施してもよい。
【符号の説明】
【００４８】
１０    ボードマネキン
１１    本体部材
１１ａ  肩部
１１ｂ  胴部
１１ｃ  上肢部
１１ｄ  嵌合穴
１１ｅ  首部
１２    肩部材
１２ａ  肩パット部
１２ｂ  嵌合溝
１２ｃ  内突起部
１３    カゴ部材
１３ａ  線材
１３ｂ  取付部
１３ｃ  パンチ
１３ｄ  取付板
１４    支柱
１４ａ  台板
１５    下肢部材
１５ａ  嵌合部
１６    上腕部材
１７    下腕部材
１８    頭部材
２０    衣服
【図１】
0003164746.tif 000003
【図２】
0003164746.tif 000004
【図３】
0003164746.tif 000005
【図４】
0003164746.tif 000006
【図５】
0003164746.tif 000007
【図６】
0003164746.tif 000008
【図７】
0003164746.tif 000009
【図８】
0003164746.tif 000010
【図９】
0003164746.tif 000011
【図１０】
0003164746.tif 000012
【図１１】
0003164746.tif 000013
【図１２】
0003164746.tif 000014